(57)【要約】  移動先の基地局で端末を優先的な端末として（Ｐｒｅｆｅｒｅｎｔｉａｌに）扱うことができるようにする。移動通信システムは、端末と、端末が移動前に接続する移動元基地局と、端末が移動後に接続する移動先基地局と、移動元基地局および移動先基地局をコアネットワークに接続するゲートウェイ装置と、コアネットワーク内に設けられたコアネットワークノードと、を備え、ゲートウェイ装置は、端末の移動元基地局から移動先基地局への移動時に、移動先基地局にて端末を優先的に扱うか否かを、自装置で判定するか、または、コアネットワークノードへ問い合わせ、移動先基地局にて端末を優先的に扱うか否かを示す優先情報を移動先基地局に通知する。
2011052527.tif 000002
【特許請求の範囲】
【請求項１】
端末と、
前記端末が移動前に接続する移動元基地局と、
前記端末が移動後に接続する移動先基地局と、
前記移動元基地局および前記移動先基地局をコアネットワークに接続するゲートウェイ装置と、
前記コアネットワーク内に設けられたコアネットワークノードと、を備え、
前記ゲートウェイ装置は、
前記端末の前記移動元基地局から前記移動先基地局への移動時に、前記移動先基地局にて前記端末を優先的に扱うか否かを、自装置で判定するか、または、前記コアネットワークノードへ問い合わせ、
前記移動先基地局にて前記端末を優先的に扱うか否かを示す優先情報を前記移動先基地局に通知する、移動通信システム。
【請求項２】
前記端末は、
自端末が接続可能な基地局の限定加入者グループの識別情報のリストである許可リストを保持し、
前記ゲートウェイ装置は、
前記移動元基地局および前記移動先基地局の限定加入者グループの識別情報と、前記移動元基地局および前記移動先基地局のアクセスモードと、前記端末の識別情報と、前記端末の前記許可リストに前記移動元基地局の限定加入者グループの識別情報が含まれるか否かを示す許可リスト情報と、に応じた、前記コアネットワークノードへの問い合わせの可否、および、前記移動先基地局への前記優先情報の通知の可否を規定した判定テーブルを有し、
前記端末の前記移動元基地局から前記移動先基地局への移動時に、前記判定テーブルに基づいて、前記コアネットワークノードへの問い合わせの可否、および、前記移動先基地局への前記優先情報の通知の可否を決定する、請求項１に記載の移動通信システム。
【請求項３】
前記ゲートウェイ装置は、
前記端末の登録時に、前記コアネットワークノードからＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）メッセージを受信し、該ＲＡＮＡＰメッセージに前記許可リスト情報が含まれていた場合、該許可リスト情報を保持する、請求項２に記載の移動通信システム。
【請求項４】
前記ゲートウェイ装置は、
前記コアネットワークノードへの問い合わせを行う場合、前記端末の識別情報と、前記移動先基地局の限定加入者グループの識別情報と、をＲＡＮＡＰ：Ｕｐｌｉｎｋ  Ｉｎｆｏｒｍａｔｉｏｎ  Ｅｘｃｈａｎｇｅ  Ｒｅｑｕｅｓｔメッセージに含め、該ＲＡＮＡＰ：Ｕｐｌｉｎｋ  Ｉｎｆｏｒｍａｔｉｏｎ  Ｅｘｃｈａｎｇｅ  Ｒｅｑｕｅｓｔメッセージを前記コアネットワークノードへ送信する、請求項２または３に記載の移動通信システム。
【請求項５】
前記コアネットワークノードは、
前記ゲートウェイ装置からの問い合わせを受けた場合、前記優先情報をＲＡＮＡＰ：Ｕｐｌｉｎｋ  Ｉｎｆｏｒｍａｔｉｏｎ  Ｅｘｃｈａｎｇｅ  Ｒｅｓｐｏｎｓｅメッセージに含め、該ＲＡＮＡＰ：Ｕｐｌｉｎｋ  Ｉｎｆｏｒｍａｔｉｏｎ  Ｅｘｃｈａｎｇｅ  Ｒｅｓｐｏｎｓｅメッセージを前記ゲートウェイ装置へ送信する、請求項４に記載の移動通信システム。
【請求項６】
前記ゲートウェイ装置は、
前記移動先基地局への前記優先情報の通知を行う場合、前記優先情報をＲＡＮＡＰ：Ｒｅｌｏｃａｔｉｏｎ  Ｒｅｑｕｅｓｔメッセージに含め、該ＲＡＮＡＰ：Ｒｅｌｏｃａｔｉｏｎ  Ｒｅｑｕｅｓｔメッセージを前記移動先基地局に送信する、請求項２から５のいずれか１項に記載の移動通信システム。
【請求項７】
前記ゲートウェイ装置は、
前記移動先基地局への前記優先情報の通知を行う場合、前記優先情報をＲＵＡ（ＲＡＮＡＰ  Ｕｓｅｒ  Ａｄａｐｔａｔｉｏｎ）：Ｄｉｒｅｃｔ  Ｔｒａｎｓｆｅｒメッセージに含め、該ＲＵＡ：Ｄｉｒｅｃｔ  Ｔｒａｎｓｆｅｒメッセージを前記移動先基地局に送信する、請求項２から５のいずれか１項に記載の移動通信システム。
【請求項８】
端末が移動前に接続する移動元基地局および前記端末が移動後に接続する移動先基地局を、コアネットワークに接続するゲートウェイ装置であって、
前記端末の前記移動元基地局から前記移動先基地局への移動時に、前記移動先基地局にて前記端末を優先的に扱うか否かを、自装置で判定するか、または、前記コアネットワーク内のコアネットワークノードへ問い合わせる制御部と、
前記移動先基地局にて前記端末を優先的に扱うか否かを示す優先情報を前記移動先基地局に通知する第１の送受信部と、を有するゲートウェイ装置。
【請求項９】
前記端末は、
自端末が接続可能な基地局の限定加入者グループの識別情報のリストである許可リストを保持しており、
前記制御部は、
前記移動元基地局および前記移動先基地局の限定加入者グループの識別情報と、前記移動元基地局および前記移動先基地局のアクセスモードと、前記端末の識別情報と、前記端末の前記許可リストに前記移動元基地局の限定加入者グループの識別情報が含まれるか否かを示す許可リスト情報と、に応じた、前記コアネットワークノードへの問い合わせの可否、および、前記移動先基地局への前記優先情報の通知の可否を規定した判定テーブルを有し、
前記端末の前記移動元基地局から前記移動先基地局への移動時に、前記判定テーブルに基づいて、前記コアネットワークノードへの問い合わせの可否、および、前記移動先基地局への前記優先情報の通知の可否を決定する、請求項８に記載のゲートウェイ装置。
【請求項１０】
前記端末の登録時に、前記コアネットワークノードからＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）メッセージを受信する第２の送受信部をさらに有し、
前記制御部は、
前記ＲＡＮＡＰメッセージに前記許可リスト情報が含まれていた場合、該許可リスト情報を保持する、請求項９に記載のゲートウェイ装置。
【請求項１１】
前記制御部は、
前記コアネットワークノードへの問い合わせを行う場合、前記端末の識別情報と、前記移動先基地局の限定加入者グループの識別情報と、をＲＡＮＡＰ：Ｕｐｌｉｎｋ  Ｉｎｆｏｒｍａｔｉｏｎ  Ｅｘｃｈａｎｇｅ  Ｒｅｑｕｅｓｔメッセージに含め、
前記第２の送受信部は、
前記ＲＡＮＡＰ：Ｕｐｌｉｎｋ  Ｉｎｆｏｒｍａｔｉｏｎ  Ｅｘｃｈａｎｇｅ  Ｒｅｑｕｅｓｔメッセージを前記コアネットワークノードへ送信する、請求項１０に記載のゲートウェイ装置。
【請求項１２】
前記第２の送受信部は、
前記コアネットワークノードから、前記優先情報を含むＲＡＮＡＰ：Ｕｐｌｉｎｋ  Ｉｎｆｏｒｍａｔｉｏｎ  Ｅｘｃｈａｎｇｅ  Ｒｅｓｐｏｎｓｅメッセージを受信する、請求項１１に記載のゲートウェイ装置。
【請求項１３】
前記制御部は、
前記移動先基地局への前記優先情報の通知を行う場合、前記優先情報をＲＡＮＡＰ：Ｒｅｌｏｃａｔｉｏｎ  Ｒｅｑｕｅｓｔメッセージに含め、
前記第１の送受信部は、
前記ＲＡＮＡＰ：Ｒｅｌｏｃａｔｉｏｎ  Ｒｅｑｕｅｓｔメッセージを前記移動先基地局に送信する、請求項９から１２のいずれか１項に記載のゲートウェイ装置。
【請求項１４】
前記制御部は、
前記移動先基地局への前記優先情報の通知を行う場合、前記優先情報をＲＵＡ（ＲＡＮＡＰ  Ｕｓｅｒ  Ａｄａｐｔａｔｉｏｎ）：Ｄｉｒｅｃｔ  Ｔｒａｎｓｆｅｒメッセージに含め、
前記第１の送受信部は、
前記ＲＵＡ：Ｄｉｒｅｃｔ  Ｔｒａｎｓｆｅｒメッセージを前記移動先基地局に送信する、請求項９から１２のいずれか１項に記載のゲートウェイ装置。
【請求項１５】
端末が移動後に接続し、かつ、ゲートウェイ装置を介してコアネットワークに接続される基地局であって、
前記ゲートウェイ装置から、前記基地局にて前記端末を優先的に扱うか否かを示す優先情報を受信する送受信部を有する基地局。
【請求項１６】
前記送受信部は、
前記ゲートウェイ装置から、前記優先情報を含むＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）：Ｒｅｌｏｃａｔｉｏｎ  Ｒｅｑｕｅｓｔメッセージを受信する、請求項１５に記載の基地局。
【請求項１７】
前記送受信部は、
前記ゲートウェイ装置から、前記優先情報を含むＲＵＡ：Ｄｉｒｅｃｔ  Ｔｒａｎｓｆｅｒメッセージを受信する、請求項１５に記載の基地局。
【請求項１８】
端末と、前記端末が移動前に接続する移動元基地局と、前記端末が移動後に接続する移動先基地局と、前記移動元基地局および前記移動先基地局をコアネットワークに接続するゲートウェイ装置と、前記コアネットワーク内に設けられたコアネットワークノードと、を備えた移動通信システムにおいて、
前記ゲートウェイ装置が、前記端末の前記移動元基地局から前記移動先基地局への移動時に、前記移動先基地局にて前記端末を優先的に扱うか否かを、自装置で判定するか、または、前記コアネットワークノードへ問い合わせるステップと、
前記移動先基地局にて前記端末を優先的に扱うか否かを示す優先情報を前記移動先基地局に通知するステップと、を含む通信方法。
【請求項１９】
端末が移動前に接続する移動元基地局および前記端末が移動後に接続する移動先基地局をコアネットワークに接続するゲートウェイ装置が、
前記端末の前記移動元基地局から前記移動先基地局への移動時に、前記移動先基地局にて前記端末を優先的に扱うか否かを、自装置で判定するか、または、前記コアネットワークノードへ問い合わせるステップと、
前記移動先基地局にて前記端末を優先的に扱うか否かを示す優先情報を前記移動先基地局に通知するステップと、を含む通信方法。
【請求項２０】
端末が移動後に接続し、かつ、ゲートウェイ装置を介してコアネットワークに接続される基地局による通信方法であって、
前記ゲートウェイ装置から、前記基地局にて前記端末を優先的に扱うか否かを示す優先情報を受信するステップを含む通信方法。
【請求項２１】
端末が移動前に接続する移動元基地局および前記端末が移動後に接続する移動先基地局をコアネットワークに接続するゲートウェイ装置に設けられたコンピュータに、
前記端末の前記移動元基地局から前記移動先基地局への移動時に、前記移動先基地局にて前記端末を優先的に扱うか否かを、前記ゲートウェイ装置で判定するか、または、前記コアネットワークノードへ問い合わせる処理と、
前記移動先基地局にて前記端末を優先的に扱うか否かを示す優先情報を前記移動先基地局に通知する処理と、を実行させるプログラム。
【発明の詳細な説明】
【技術分野】
【０００１】
［関連出願についての記載］
本発明は、日本国特許出願：特願２００９−２４５６７８号（２００９年１０月２６日出願）の優先権主張に基づくものであり、同出願の全記載内容は引用をもって本書に組み込み記載されているものとする。
本発明は、移動通信システム、ゲートウェイ装置、基地局、通信方法、およびプログラムに関する。
【背景技術】
【０００２】
最近、３ＧＰＰ（３ｒｄ  Ｇｅｎｅｒａｔｉｏｎ  Ｐａｒｔｎｅｒｓｈｉｐ  Ｐｒｏｊｅｃｔ）では、ホームノードＢ（ＨＮＢ：Ｈｏｍｅ  Ｎｏｄｅ  Ｂ）と呼ばれる家庭および小規模オフィス向けの小型基地局が検討されている。【０００３】
オペレータは、ＨＮＢへのアクセスを制限するため、ＨＮＢに限定加入者グループ（Ｃｌｏｓｅｄ  Ｓｕｂｓｃｒｉｂｅｒ  Ｇｒｏｕｐ、以下、「ＣＳＧ」と略す）のＣＳＧ  ＩＤ（Ｃｌｏｓｅｄ  Ｓｕｂｓｃｒｉｂｅｒ  Ｇｒｏｕｐ  ｉｄｅｎｔｉｔｙ）を設定し、ＨＮＢは、自局のＣＳＧ  ＩＤを許可リスト（Ａｌｌｏｗｅｄ  Ｃｌｏｓｅｄ  Ｓｕｂｓｃｒｉｂｅｒ  Ｇｒｏｕｐ  ｉｄｅｎｔｉｆｉｅｓ  ｓｕｂｓｃｒｉｂｅｒｓ  Ｌｉｓｔ、以下、「Ａｌｌｏｗｅｄ  ＣＳＧ  Lｉｓｔ」と略す）に持つユーザ装置（ＵＥ：Ｕｓｅｒ  Ｅｑｕｉｐｍｅｎｔ、移動局、端末）にのみアクセスを許可し、他のＵＥのアクセスを制限する。【０００４】
また、ＨＮＢは、以下の（１）〜（３）の３つのアクセスモード（Ａｃｃｅｓｓ  Ｍｏｄｅ）を持ち、Ａｃｃｅｓｓ  Ｍｏｄｅに応じてアクセスを許可するＵＥが異なり、また、アクセスしてきたＵＥに応じて優先的（Ｐｒｅｆｅｒｅｎｔｉａｌ）な制御を行うことも可能である（非特許文献１）。なお、Ｐｒｅｆｅｒｅｎｔｉａｌな制御の例として、自局のＣＳＧ  ＩＤをＡｌｌｏｗｅｄ  ＣＳＧ  Ｌｉｓｔに持つＵＥに対し、優先的なアクセス（例えば、帯域を優先的に割り当てること、同時アクセスするＵＥが増え、輻輳が発生した場合においてもＡｌｌｏｗｅｄ  ＣＳＧ  Ｌｉｓｔを持つＵＥがアクセスする分のリソースは確保しておくこと等）を行わせたり、特別な課金レートを割り当てたりする等が挙げられる。
（１）Ｃｌｏｓｅ  Ｍｏｄｅ
ＨＮＢは、Ａｌｌｏｗｅｄ  ＣＳＧ  Lｉｓｔに自局のＣＳＧ  ＩＤを持つＵＥにのみ、アクセスを許可する。
（２）Ｏｐｅｎ  Ｍｏｄｅ
ＨＮＢは、アクセス制限を行わない。
（３）Ｈｙｂｒｉｄ  Ｍｏｄｅ
ＨＮＢは、Ａｌｌｏｗｅｄ  ＣＳＧ  Ｌｉｓｔに自局のＣＳＧ  ＩＤを持つＵＥにも、持たない他の通常のＵＥにも、アクセスを許可する。また、ＨＮＢは、Ａｌｌｏｗｅｄ  ＣＳＧ  Ｌｉｓｔに自局のＣＳＧ  ＩＤを持つＵＥに対して、Ｐｒｅｆｅｒｅｎｔｉａｌな制御を行うことを可能とする。
【先行技術文献】
【非特許文献】
【０００５】
【非特許文献１】３ＧＰＰ  ＴＳ  ２２．２２０  Ｖ１０．０．０
【発明の概要】
【発明が解決しようとする課題】
【０００６】
上記非特許文献１の全開示内容はその引用をもって本書に繰込み記載する。
以下の分析は、本発明によってなされたものである。
ところで、ＰｒｅｆｅｒｅｎｔｉａｌなＵＥが、同一のＨＮＢ−ＧＷ（Ｈｏｍｅ  Ｎｏｄｅ  ＢＧａｔｅｗａｙ）配下のＨＮＢ間を移動した場合（このような移動を「Ｉｎｔｒａ  ＨＮＢ−ＧＷ  Ｒｅｌｏｃａｔｉｏｎ」と称す）、移動先のＨＮＢのＣＳＧ  ＩＤおよびＡｃｃｅｓｓ  Ｍｏｄｅの設定に応じて、そのＵＥをＰｒｅｆｅｒｅｎｔｉａｌに扱うかどうかを判断し、Ｐｒｅｆｅｒｅｎｔｉａｌに扱う場合はその旨を移動先のＨＮＢへ通知する必要がある。【０００７】
しかしながら、現在、移動先のＨＮＢへ上記の通知を行う手段がなく、移動先のＨＮＢでＵＥをＰｒｅｆｅｒｅｎｔｉａｌに扱うことができないという問題がある。【０００８】
そこで、移動先の基地局（ＨＮＢ）で端末（ＵＥ）を優先的な端末として（Ｐｒｅｆｅｒｅｎｔｉａｌに）扱うことができるようにすることが課題となる。本発明の目的は、かかる課題を解決する移動通信システム、ゲートウェイ装置、基地局、通信方法、およびプログラムを提供することにある。
【課題を解決するための手段】
【０００９】
本発明の第１の視点に係る移動通信システムは、
端末と、
前記端末が移動前に接続する移動元基地局と、
前記端末が移動後に接続する移動先基地局と、
前記移動元基地局および前記移動先基地局をコアネットワークに接続するゲートウェイ装置と、
前記コアネットワーク内に設けられたコアネットワークノードと、を備え、
前記ゲートウェイ装置は、
前記端末の前記移動元基地局から前記移動先基地局への移動時に、前記移動先基地局にて前記端末を優先的に扱うか否かを、自装置で判定するか、または、前記コアネットワークノードへ問い合わせ、
前記移動先基地局にて前記端末を優先的に扱うか否かを示す優先情報を前記移動先基地局に通知する。【００１０】
本発明の第２の視点に係るゲートウェイ装置は、
端末が移動前に接続する移動元基地局および前記端末が移動後に接続する移動先基地局を、コアネットワークに接続するゲートウェイ装置であって、
前記端末の前記移動元基地局から前記移動先基地局への移動時に、前記移動先基地局にて前記端末を優先的に扱うか否かを、自装置で判定するか、または、前記コアネットワーク内のコアネットワークノードへ問い合わせる制御部と、
前記移動先基地局にて前記端末を優先的に扱うか否かを示す優先情報を前記移動先基地局に通知する第１の送受信部と、を有する。【００１１】
本発明の第３の視点に係る基地局は、
端末が移動後に接続し、かつ、ゲートウェイ装置を介してコアネットワークに接続される基地局であって、
前記ゲートウェイ装置から、前記基地局にて前記端末を優先的に扱うか否かを示す優先情報を受信する送受信部を有する。【００１２】
本発明の第４の視点に係る通信方法は、
端末と、前記端末が移動前に接続する移動元基地局と、前記端末が移動後に接続する移動先基地局と、前記移動元基地局および前記移動先基地局をコアネットワークに接続するゲートウェイ装置と、前記コアネットワーク内に設けられたコアネットワークノードと、を備えた移動通信システムにおいて、
前記ゲートウェイ装置が、前記端末の前記移動元基地局から前記移動先基地局への移動時に、前記移動先基地局にて前記端末を優先的に扱うか否かを、自装置で判定するか、または、前記コアネットワークノードへ問い合わせるステップと、
前記移動先基地局にて前記端末を優先的に扱うか否かを示す優先情報を前記移動先基地局に通知するステップと、を含む。【００１３】
本発明の第５の視点に係る通信方法は、
端末が移動前に接続する移動元基地局および前記端末が移動後に接続する移動先基地局をコアネットワークに接続するゲートウェイ装置が、
前記端末の前記移動元基地局から前記移動先基地局への移動時に、前記移動先基地局にて前記端末を優先的に扱うか否かを、自装置で判定するか、または、前記コアネットワークノードへ問い合わせるステップと、
前記移動先基地局にて前記端末を優先的に扱うか否かを示す優先情報を前記移動先基地局に通知するステップと、を含む。【００１４】
本発明の第６の視点に係る通信方法は、
端末が移動後に接続し、かつ、ゲートウェイ装置を介してコアネットワークに接続される基地局による通信方法であって、
前記ゲートウェイ装置から、前記基地局にて前記端末を優先的に扱うか否かを示す優先情報を受信するステップを含む。
本発明の第７の視点に係るプログラムは、
端末が移動前に接続する移動元基地局および端末が移動後に接続する移動先基地局をコアネットワークに接続するゲートウェイ装置に設けられたコンピュータに、
端末の移動元基地局から移動先基地局への移動時に、移動先基地局にて端末を優先的に扱うか否かを、ゲートウェイ装置で判定するか、または、コアネットワークノードへ問い合わせる処理と、
移動先基地局にて端末を優先的に扱うか否かを示す優先情報を移動先基地局に通知する処理と、を実行させる。
【発明の効果】
【００１５】
本発明によれば、ゲートウェイ装置は、端末の移動元基地局から移動先基地局への移動時に、移動先基地局にて端末を優先的に扱うか否かを、自装置で判定するか、または、コアネットワークノードへ問い合わせ、移動先基地局にて端末を優先的に扱うか否かを示す優先情報を移動先基地局に通知する。【００１６】
したがって、本発明に係る移動通信システム、ゲートウェイ装置、基地局、通信方法、およびプログラムによると、移動先基地局は、ゲートウェイ装置からの通知に従い、移動してきた端末を優先的な端末として扱うことができる。
【図面の簡単な説明】
【００１７】
【図１】本発明の第１〜第３の実施形態の移動通信システムの構成を示す図である。
【図２】本発明の第１の実施形態のＨＮＢとＨＮＢ−ＧＷとＣＮ  Ｎｏｄｅの内部構成を示すブロック図である。
【図３】本発明の第１の実施形態の移動通信システムの動作を説明するシーケンス図である。
【図４Ａ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｑｕｅｓｔメッセージを示す図である。
【図４Ｂ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｑｕｅｓｔメッセージを示す図である。
【図４Ｃ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｑｕｅｓｔメッセージを示す図である。
【図５Ａ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｓｐｏｎｓｅメッセージを示す図である。
【図５Ｂ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｓｐｏｎｓｅメッセージを示す図である。
【図５Ｃ】本発明の第１の実施形態により変更されたＲＡＮＡＰ：  Ｕｐｌｉｎｋ  Ｉｎｆｏｒｍａｔｉｏｎ  Ｅｘｃｈａｎｇｅ  Ｒｅｓｐｏｎｓｅメッセージを示す図である。
【図６】本発明の第１の実施形態により変更されたＲＡＮＡＰ：  Ｒｅｌｏｃａｔｉｏｎ  Ｒｅｑｕｅｓｔメッセージを示す図である。
【図７Ａ】本発明の第１の実施形態によりＨＮＢ−ＧＷに追加された判定テーブルのイメージを示す図である。
【図７Ｂ】本発明の第１の実施形態によりＨＮＢ−ＧＷに追加された判定テーブルのイメージを示す図である。
【図８】本発明の第２の実施形態のＨＮＢとＨＮＢ−ＧＷとＣＮ  Ｎｏｄｅの内部構成を示すブロック図である。
【図９】本発明の第２の実施形態の移動通信システムの動作を説明するシーケンス図である。
【図１０】本発明の第２の実施形態により変更されたＲＵＡ：  Ｄｉｒｅｃｔ  Ｔｒａｎｓｆｅｒメッセージを示す図である。
【図１１】本発明の第３の実施形態のＨＮＢとＨＮＢ−ＧＷとＣＮ  Ｎｏｄｅの内部構成を示すブロック図である。
【図１２】本発明の第３の実施形態の移動通信システムの動作を説明するシーケンス図である。
【図１３】本発明の第３の実施形態により変更されたＨＮＢＲＡＰ：  Ｒｅｌｏｃａｔｉｏｎ  Ｒｅｑｕｅｓｔメッセージを示す図である。
【図１４】本発明の第３の実施形態により変更されたＨＮＢＡＰ：  Ａｃｃｅｓｓ  Ｃｏｎｔｒｏｌ  Ｑｕｅｒｙメッセージを示す図である。
【図１５】本発明の第３の実施形態により変更されたＨＮＢＡＰ：  Ａｃｃｅｓｓ  Ｃｏｎｔｒｏｌ  Ｒｅｓｐｏｎｓｅメッセージを示す図である。
【図１６】本発明の第４の実施形態のＨｅＮＢとＵｐｐｅｒ  Ｎｏｄｅの内部構成を示すブロック図である。
【図１７】本発明の第４の実施形態の移動通信システムの動作を説明するシーケンス図である。
【図１８】本発明の第４の実施形態により変更されたＸ２ＡＰ：  Ｈａｎｄｏｖｅｒ  Ｒｅｑｕｅｓｔメッセージを示す図である。
【図１９】本発明の第４の実施形態により変更されたＳ１ＡＰ：  Ａｃｃｅｓｓ  Ｃｏｎｔｒｏｌ  Ｑｕｅｒｙメッセージを示す図である。
【図２０】本発明の第４の実施形態により変更されたＳ１ＡＰ：  Ａｃｃｅｓｓ  Ｃｏｎｔｒｏｌ  Ｒｅｓｐｏｎｓｅメッセージを示す図である。
【図２１】本発明の第５の実施形態のＨｅＮＢとＵｐｐｅｒ  Ｎｏｄｅの内部構成を示すブロック図である。
【図２２】本発明の第５の実施形態の移動通信システムの動作を説明するシーケンス図である。
【図２３】本発明の第５の実施形態により変更されたＳ１ＡＰ：  Ｈａｎｄｏｖｅｒ  Ｒｅｑｕｅｓｔメッセージを示す図である。
【図２４】本発明の第１および第２の実施形態の移動通信システムの内部構成の概要を示すブロック図である。
【発明を実施するための形態】
【００１８】
以下に、本発明を実施するための形態について図面を参照して説明する。
【００１９】
（第１の実施形態）
図１および図２を参照すると、本実施形態の移動通信システムは、端末（ＵＥ）１と、移動元基地局（ＨＮＢ−Ｓ（Ｓｏｕｒｃｅ））２と、移動先基地局（ＨＮＢ−Ｔ（Ｔａｒｇｅｔ））３と、ゲートウェイ装置（ＨＮＢ−ＧＷ）４と、コアネットワークノード（ＣＮ（Ｃｏｒｅ  Ｎｅｔｗｏｒｋ）  Ｎｏｄｅ）５と、を有している。
【００２０】
ＵＥ１は、第３世代移動携帯電話（端末）である。
【００２１】
ＨＮＢ−Ｓ２およびＨＮＢ−Ｔ３は、家庭および小規模オフィス向けの第３世代小型基地局である。
【００２２】
なお、ＨＮＢ−Ｓ２は、ＵＥ１が移動前に接続する移動元ＨＮＢであり、ＨＮＢ−Ｔ３は、ＵＥ１が移動後に接続する移動先ＨＮＢである。
【００２３】
ＨＮＢ−ＧＷ４は、ＨＮＢ−Ｓ２およびＨＮＢ−Ｔ３をコアネットワーク（ＣＮ：Ｃｏｒｅ  Ｎｅｔｗｏｒｋ）と接続するゲートウェイ装置である。
【００２４】
ＣＮ  Ｎｏｄｅ  ５は、第３世代移動交換網であるＣＮの内部に設けられたノードである。
【００２５】
図２を参照すると、本実施形態のＨＮＢ−Ｓ２は、対ＨＮＢ−ＧＷ送受信部２１と、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）機能部２２と、を有している。
【００２６】
また、本実施形態のＨＮＢ−Ｔ３は、対ＨＮＢ−ＧＷ送受信部３１と、ＲＡＮＡＰ機能部３２と、を有している。
【００２７】
また、本実施形態のＨＮＢ−ＧＷ４は、対ＨＮＢ送受信部４１と、対ＣＮ送受信部４２と、Ｐｒｅｆｅｒｅｎｔｉａｌ保持部４３と、ＲＡＮＡＰ機能部４４と、Ｐｒｅｆｅｒｅｎｔｉａｌ通知制御部４５と、を有している。
【００２８】
また、本実施形態のＣＮ  Ｎｏｄｅ  ５は、対ＨＮＢ−ＧＷ送受信部５１と、ＲＡＮＡＰ機能部５２と、を有している。
【００２９】
対ＨＮＢ−ＧＷ送受信部２１，３１，５１は、ＨＮＢ−ＧＷ４と接続するためのインタフェースを有し、ＨＮＢ−ＧＷ４との間でデータの送受信を行う。
【００３０】
ＲＡＮＡＰ機能部２２，３２，４４，５２は、３ＧＰＰ  ＴＳ２５．４１３で規定されるＲＡＮＡＰプロトコル機能を実現し、ＲＡＮＡＰメッセージを終端する。
【００３１】
対ＨＮＢ送受信部４１は、ＨＮＢ−Ｓ２およびＨＮＢ−Ｔ３と接続するためのインタフェースを有し、ＨＮＢ−Ｓ２およびＨＮＢ−Ｔ３との間でデータの送受信を行う。
【００３２】
対ＣＮ送受信部４２は、ＣＮ  Ｎｏｄｅ  ５と接続するためのインタフェースを有し、ＣＮ  Ｎｏｄｅ  ５との間でデータの送受信を行う。
【００３３】
Ｐｒｅｆｅｒｅｎｔｉａｌ通知制御部４５は、ＣＮ  Ｎｏｄｅ  ５からのＲＡＮＡＰメッセージに含まれる後述のＣＳＧ  ｍｅｍｂｅｒｓｈｉｐ情報をＰｒｅｆｅｒｅｎｔｉａｌ保持部４３へ通知するとともに、後述の判定テーブルに基づきＰｒｅｆｅｒｅｎｔｉａｌ通知に関する制御を行う。
【００３４】
Ｐｒｅｆｅｒｅｎｔｉａｌ保持部４３は、Ｐｒｅｆｅｒｅｎｔｉａｌ通知制御部４５から通知されたＣＳＧ  ｍｅｍｂｅｒｓｈｉｐ情報を保持するとともに、Ｐｒｅｆｅｒｅｎｔｉａｌ通知制御部４５からの問い合わせに応じてＣＳＧ  ｍｅｍｂｅｒｓｈｉｐ情報の有無をＰｒｅｆｅｒｅｎｔｉａｌ通知制御部４５へ通知する。
【００３５】
以下、本実施形態の移動通信システムの動作について、図３のシーケンス図に従って説明する。
【００３６】
ＵＥ１が、ＨＮＢ−Ｓ２を介してネットワークへアクセスするための登録処理（ＵＥ  Ｒｅｇｉｓｔｒａｔｉｏｎ処理）を実施する場合、ＵＥ１、ＨＮＢ−Ｓ２、ＨＮＢ−ＧＷ４、およびＣＮ  Ｎｏｄｅ５の間でメッセージのやりとりを行う。本処理において、ＣＮ  Ｎｏｄｅ５は、ＵＥ１をＰｒｅｆｅｒｅｎｔｉａｌなＵＥとして扱う場合がある。その場合、ＣＮ  Ｎｏｄｅ５は、ステップＡ１，Ａ２において、ＨＮＢ−ＧＷ４を介してＨＮＢ−Ｓ２へＣＳＧ  Ｍｅｍｂｅｒｓｈｉｐ情報を含むＲＡＮＡＰメッセージを送信する。ＣＳＧ  ｍｅｍｂｅｒｓｈｉｐ情報とは、ＵＥ１がＨＮＢ−Ｓ２のＣＳＧに加入しているか、言い換えれば、ＵＥ１のＡｌｌｏｗｅｄ  ＣＳＧ  ＬｉｓｔにＨＮＢ−Ｓ２のＣＳＧ  ＩＤが含まれるか否かを示す情報（許可リスト情報）である。このとき、ＨＮＢ−ＧＷ４は、ステップＡ３において、上記のＲＡＮＡＰメッセージに含まれるＣＳＧ  Ｍｅｍｂｅｒｓｈｉｐ情報をＰｒｅｆｅｒｅｎｔｉａｌ保持部４３に保持する。
【００３７】
その後、ＵＥ１がＨＮＢ−Ｓ２配下からＨＮＢ−Ｔ３配下へ移動することによるＩｎｔｒａ  ＨＮＢ−ＧＷ  Ｒｅｌｏｃａｔｉｏｎが発生した場合、ＨＮＢ−Ｓ２は、ステップＡ４において、ＲＡＮＡＰ：  Ｒｅｌｏｃａｔｉｏｎ  ＲｅｑｕｉｒｅｄメッセージをＨＮＢ−ＧＷ４へ送信する。このとき、ＨＢＷ−ＧＷ４は、ＵＥ１がＨＮＢ−Ｔ３のアクセス権限およびＰｒｅｆｅｒｅｎｔｉａｌと扱われる権限を有するか否かを判定するため、図７Ａおよび図７Ｂの判定テーブルに基づいて動作する。この判定テーブルは、ＨＮＢ−Ｓ２およびＨＮＢ−Ｔ３の各々のＣＳＧ  ＩＤ、Ａｃｃｅｓｓ  Ｍｏｄｅ、ＵＥ１の識別情報、ＵＥ１のＡｌｌｏｗｅｄ  ＣＳＧ  ＬｉｓｔにＨＮＢ−Ｓ２のＣＳＧ  ＩＤが含まれるか否かを示す情報に応じた、ＣＮ  Ｎｏｄｅ５への問い合わせの可否、および、ＨＮＢ−Ｔ３へのＰｒｅｆｅｒｅｎｔｉａｌ通知（ＵＥ１をＰｒｅｆｅｒｅｎｔｉａｌに扱うか否かを示す情報（優先情報）の通知）の可否を規定したものである。なお、ＨＮＢ−ＧＷ４には、ＨＮＢ−Ｓ２およびＨＮＢ−Ｔ３の各々のＣＳＧ  ＩＤ、Ａｃｃｅｓｓ  Ｍｏｄｅ、ＵＥ１の識別情報が、予め設定されている。
【００３８】
本実施形態においては、ＨＮＢ−ＧＷ４は、後述するステップＡ５（ａ．）およびステップＡ８（ｂ．）において、図７Ａおよび図７Ｂの※１〜※４に応じて、それぞれ以下の動作を行う。
【００３９】
※１：
ａ．ＨＮＢ−ＧＷ４は、ＣＮ  Ｎｏｄｅ５へ問い合わせを行わない。
ｂ．ＨＮＢ−ＧＷ４は、ＨＮＢ−Ｔ３へＰｒｅｆｅｒｅｎｔｉａｌ通知を行う。
【００４０】
※２：
ａ．ＨＮＢ−ＧＷ４は、ＣＮ  Ｎｏｄｅ５へ問い合わせを行う。
ｂ．ＨＮＢ−ＧＷ４は、ＣＮ  Ｎｏｄｅ５からの問い合わせ結果通知に応じて、ＨＮＢ−Ｔ３へのＰｒｅｆｅｒｅｎｔｉａｌ通知の可否を判定する。
【００４１】
※３：
ａ．ＨＮＢ−ＧＷ４は、ＣＮ  Ｎｏｄｅ５へ問い合わせを行わない。
ｂ．ＨＮＢ−ＧＷ４は、ＨＮＢ−Ｔ３へのＰｒｅｆｅｒｅｎｔｉａｌ通知を行わない。
【００４２】
※４：
ａ．ＨＮＢ−ＧＷ４は、ＣＮ  Ｎｏｄｅ５へ問い合わせを行う。
ｂ．ＨＮＢ−ＧＷ４は、ＨＮＢ−Ｔ３へのＰｒｅｆｅｒｅｎｔｉａｌ通知を行わない。
【００４３】
まず、ＨＮＢ−ＧＷ４は、ステップＡ５において、図７Ａおよび図７Ｂの判定テーブルに基づいて、ＣＮ  Ｎｏｄｅ５への問い合わせを行うかを判定する。
【００４４】
例えば、図１のように、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が異なる（「Ｉｎｔｅｒ  ＣＳＧ」という。）場合、ＣＮ  Ｎｏｄｅ５へ問い合わせを行う。
【００４５】
また、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が同一である（「Ｉｎｔｒａ  ＣＳＧ」という。）場合、ＣＮ  Ｎｏｄｅ５への問い合わせは行わない。
【００４６】
ＨＮＢ−ＧＷ４は、ＣＮ  Ｎｏｄｅ５への問い合わせを行うと判定した場合、ステップＡ６において、ＲＡＮＡＰ：  ＵＬ（Ｕｐ  Ｌｉｎｋ）  Ｉｎｆｏｒｍａｔｉｏｎ  Ｅｘｃｈａｎｇｅ  ＲｅｑｕｅｓｔメッセージをＣＮ  Ｎｏｄｅ５へ送信する。
【００４７】
図４Ａ〜図４Ｃは、本実施形態により変更されたＲＡＮＡＰ：  ＵＬ  Ｉｎｆｏｒｍａｔｉｏｎ  Ｅｘｃｈａｎｇｅ  Ｒｅｑｕｅｓｔメッセージを示す。このメッセージには、ＵＥ１がＨＮＢ−Ｔ３のアクセス権限およびＰｒｅｆｅｒｅｎｔｉａｌと扱われる権限を有するか、ＣＮ  Ｎｏｄｅ５が判定するため、ＨＮＢ−Ｔ３のＣＳＧ  ＩＤおよびＵＥ１の識別情報（ＩＭＳＩ／ＴＭＳＩ＋ＬＡＩ／Ｐ−ＴＭＳＩ＋ＲＡＩ）を通知するためのパラメータが追加されている。
【００４８】
次に、ＣＮ  Ｎｏｄｅ５は、ＨＮＢ−ＧＷ４からのＣＳＧ  ＩＤやＵＥ１の識別情報に基づいて、ＨＮＢ−Ｔ３でＵＥ１をＰｒｅｆｅｒｅｎｔｉａｌとして扱うか否かを判定する。ＣＮ  Ｎｏｄｅ５は、その判定結果に基づいて、ステップＡ７において、ＲＡＮＡＰ：  ＵＬ  Ｉｎｆｏｒｍａｔｉｏｎ  Ｅｘｃｈａｎｇｅ  ＲｅｓｐｏｎｓｅメッセージをＨＮＢ−ＧＷ４へ送信する。
【００４９】
図５Ａ〜図５Ｃは、本実施形態により変更されたＲＡＮＡＰ：  ＵＬ  Ｉｎｆｏｒｍａｔｉｏｎ  Ｅｘｃｈａｎｇｅ  Ｒｅｓｐｏｎｓｅメッセージを示す。このメッセージには、ＵＥ１をＰｒｅｆｅｒｅｎｔｉａｌとして扱うか否かを示す情報として“ＣＳＧ  Ｍｅｍｂｅｒｓｈｉｐ  Ｓｔａｔｕｓ”情報を通知するためのパラメータが追加されている。
【００５０】
次に、ＨＮＢ−ＧＷ４は、ステップＡ８において、上記の判定テーブルおよびＲＡＮＡＰ：  ＵＬ  Ｉｎｆｏｒｍａｔｉｏｎ  Ｅｘｃｈａｎｇｅ  Ｒｅｓｐｏｎｓｅメッセージの情報に従い、ＨＮＢ−Ｔ３へ、ＵＥ１をＰｒｅｆｅｒｅｎｔｉａｌとして扱う旨のＰｒｅｆｅｒｅｎｔｉａｌ通知を行うか判定する。
【００５１】
例えば、図１のように、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が異なる（Ｉｎｔｅｒ  ＣＳＧ）場合に、ＣＮ  Ｎｏｄｅ５からの“ＣＳＧ  Ｍｅｍｂｅｒｓｈｉｐ  Ｓｔａｔｕｓ”情報がＵＥ１をＰｒｅｆｅｒｅｎｔｉａｌとして扱うことを示していれば、Ｐｒｅｆｅｒｅｎｔｉａｌ通知を行う。
【００５２】
また、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が同一である（Ｉｎｔｒａ  ＣＳＧ）場合、ＣＮ  Ｎｏｄｅ５からのＣＳＧ  ｍｅｍｂｅｒｓｈｉｐ情報が、ＵＥ１がＡｌｌｏｗｅｄ  ＣＳＧ  ＬｉｓｔにＨＮＢ−Ｓ２のＣＳＧ  ＩＤを持つことを示していれば、Ｐｒｅｆｅｒｅｎｔｉａｌ通知を行い、そうでなければ、Ｐｒｅｆｅｒｅｎｔｉａｌ通知を行わない。
【００５３】
ＨＮＢ−ＧＷ４は、Ｐｒｅｆｅｒｅｎｔｉａｌ通知を行うと判定した場合、ステップＡ９において、ＲＡＮＡＰ：  Ｒｅｌｏｃａｔｉｏｎ  Ｒｅｑｕｅｓｔメッセージに“ＣＳＧ  Ｍｅｍｂｅｒｓｈｉｐ  Ｓｔａｔｕｓ”情報を含めてＨＮＢ−Ｔ３へ送信する。
【００５４】
図６は、本実施形態により変更されたＲＡＮＡＰ：  Ｒｅｌｏｃａｔｉｏｎ  Ｒｅｑｕｅｓｔメッセージを示す。このメッセージには、ＨＮＢ−Ｔ３がＵＥ１をＰｒｅｆｅｒｅｎｔｉａｌとして扱うことを示す“ＣＳＧ  Ｍｅｍｂｅｒｓｈｉｐ  Ｓｔａｔｕｓ”情報を通知するパラメータが追加されている。
【００５５】
なお、ＨＮＢ−Ｔ３は、ＲＡＮＡＰ：  Ｒｅｌｏｃａｔｉｏｎ  Ｒｅｑｕｅｓｔメッセージの受信以降、図３のシーケンス図に従い、Ｒｅｌｏｃａｔｉｏｎ処理を継続する。このＲｅｌｏｃａｔｉｏｎ処理の手順は、Ｉｎｔｒａ  ＨＮＢ−ＧＷ  Ｒｅｌｏｃａｔｉｏｎ手順として知られていることから、説明を省略する。
【００５６】
上述したように本実施形態においては、ＵＥ１の移動によるＩｎｔｒａ  ＨＮＢ−ＧＷ  Ｒｅｌｏｃａｔｉｏｎ発生時、ＨＮＢ−ＧＷ４は、ＵＥ１をＰｒｅｆｅｒｅｎｔｉａｌなＵＥとして扱うか否かを、自らで判定するか、または、ＣＮ  Ｎｏｄｅ５へ問い合わせ、ＰｒｅｆｅｒｅｎｔｉａｌなＵＥとして扱う場合はその旨をＲＡＮＡＰ：  Ｒｅｌｏｃａｔｉｏｎ  ＲｅｑｕｅｓｔメッセージでＨＮＢ−Ｔ３に通知する。
【００５７】
したがって、ＨＮＢ−Ｔ３は、ＨＮＢ−ＧＷ４からの通知に従い、ＵＥ１をＰｒｅｆｅｒｅｎｔｉａｌなＵＥとして扱うことができる。
【００５８】
（第２の実施形態）
本発明の第２の実施形態について、図８〜図１０を参照して説明する。
【００５９】
図８を参照すると、本実施形態の移動通信システムは、第１の実施形態（図２）と比較して、ＨＮＢ−Ｓ２，ＨＮＢ−Ｔ３，ＨＮＢ−ＧＷ４のそれぞれに、ＲＵＡ（ＲＡＮＡＰ  Ｕｓｅｒ  Ａｄａｐｔａｔｉｏｎ）機能部２３，３３，４６を追加した点が異なる。
【００６０】
ＲＵＡ機能部２３，３３，４６は、３ＧＰＰ  ＴＳ２５．４６８で規定されるＲＵＡプロトコル機能を実現し、ＲＵＡメッセージを終端する。
【００６１】
以下、本実施形態の移動通信システムの動作について、図９のシーケンス図に従って説明する。
【００６２】
図９において、ステップＢ１〜Ｂ８の処理は、図３のステップＡ１〜Ａ８の処理と同様である。
【００６３】
図３と異なる点は、ステップＢ９において、ＨＮＢ−ＧＷ４が、“ＣＳＧ  Ｍｅｍｂｅｒｓｈｉｐ  Ｓｔａｔｕｓ”情報をＲＡＮＡＰ：  Ｒｅｌｏｃａｔｉｏｎ  Ｒｅｑｕｅｓｔメッセージと共にＲＵＡ：  Ｄｉｒｅｃｔ  Ｔｒａｎｓｆｅｒメッセージに含めて送信している点である。
【００６４】
図１０に、本実施形態により変更されたＲＵＡ：  Ｄｉｒｅｃｔ  Ｔｒａｎｓｆｅｒメッセージを示す。このメッセージには、“ＣＳＧ  Ｍｅｍｂｅｒｓｈｉｐ  Ｓｔａｔｕｓ”情報を通知するパラメータが追加されている。
【００６５】
上述したように本実施形態においては、ＵＥ１の移動によるＩｎｔｒａ  ＨＮＢ−ＧＷ  Ｒｅｌｏｃａｔｉｏｎ発生時、ＨＮＢ−ＧＷ４は、ＵＥ１をＰｒｅｆｅｒｅｎｔｉａｌなＵＥとして扱うか否かを、自らで判定するか、または、ＣＮ  Ｎｏｄｅ５へ問い合わせ、ＰｒｅｆｅｒｅｎｔｉａｌなＵＥとして扱う場合はその旨をＲＵＡ：  Ｄｉｒｅｃｔ  ＴｒａｎｓｆｅｒメッセージでＨＮＢ−Ｔ３に通知する。
【００６６】
したがって、ＨＮＢ−Ｔ３は、ＨＮＢ−ＧＷ４からの通知に従い、ＵＥ１をＰｒｅｆｅｒｅｎｔｉａｌなＵＥとして扱うことができる。
【００６７】
（第３の実施形態）
本発明の第３の実施形態について、図１１〜図１５を参照して説明する。
【００６８】
図１１を参照すると、本実施形態の移動通信システムは、第１の実施形態（図２）と比較して、ＨＮＢ−Ｓ２，ＨＮＢ−Ｔ３のそれぞれに、対ＨＮＢ送受信部２６，３６、ＨＮＢＲＡＰ（Ｈｏｍｅ  ＮｏｄｅＢ  Ｉｕｈｒ  Ａｐｐｌｉｃａｔｉｏｎ  Ｐａｒｔ）機能部２４，３４、ＨＮＢＡＰ（ＨＮＢ  Ａｐｐｌｉｃａｔｉｏｎ  Ｐａｒｔ）機能部２５，３５、Ｐｒｅｆｅｒｅｎｔｉａｌ通知制御部２７，３７、およびＰｒｅｆｅｒｅｎｔｉａｌ保持部２８，３８を追加し、ＲＡＮＡＰ機能部２２，３２を削除した点が異なる。また、ＨＮＢ−ＧＷ４に、ＨＮＢＡＰ機能部４７を追加し、ＲＡＮＡＰ機能部４４、Ｐｒｅｆｅｒｅｎｔｉａｌ通知制御部４５、およびＰｒｅｆｅｒｅｎｔｉａｌ保持部４３を削除した点が異なる。
【００６９】
ＨＮＢＲＡＰ機能部２４，３４は、ＨＮＢＲＡＰプロトコルと呼ばれるＨＮＢ間の制御メッセージ処理を実現し、ＨＮＢＲＡＰメッセージを終端する。
【００７０】
ＨＮＢＡＰ機能部２５，３５，４７は、３ＧＰＰ  ＴＳ２５．４６９で規定されるＨＮＢＡＰプロトコル機能を実現し、ＨＮＢＡＰメッセージを終端する。
【００７１】
対ＨＮＢ送受信部２６は、ＨＮＢ−Ｔ３と接続するためのインタフェースを有し、ＨＮＢ−Ｔ３との間でデータの送受信を行う。また、対ＨＮＢ送受信部３６は、ＨＮＢ−Ｓ２と接続するためのインタフェースを有し、ＨＮＢ−Ｓ２との間でデータの送受信を行う。
【００７２】
Ｐｒｅｆｅｒｅｎｔｉａｌ通知制御部２７，３７は、図２のＰｒｅｆｅｒｅｎｔｉａｌ通知制御部４５と同様の機能を有する。
【００７３】
Ｐｒｅｆｅｒｅｎｔｉａｌ保持部２８，３８は、図２のＰｒｅｆｅｒｅｎｔｉａｌ保持部４３と同様の機能を有する。
【００７４】
以下、本実施形態の移動通信システムの動作について、図１２のシーケンス図に従って説明する。
【００７５】
ＵＥ１の移動により、Ｉｎｔｒａ−ＨＮＢ  Ｒｅｌｏｃａｔｉｏｎが発生した場合、ＨＮＢ−Ｓ２は、ステップＣ１，Ｃ２において、ＵＥ１の識別情報（ＩＭＳＩ／ＴＭＳＩ＋ＬＡＩ／Ｐ−ＴＭＳＩ＋ＲＡＩ）、ＨＮＢ−Ｓ２のＣＳＧ  ＩＤ、ＨＮＢ−Ｓ２のＡｃｃｅｓｓ  Ｍｏｄｅ、および、ＨＮＢ−Ｓ２でＵＥ１をＰｒｅｆｅｒｅｎｔｉａｌとして扱っているか否かを示す“ＣＳＧ  Ｍｅｍｂｅｒｓｈｉｐ  ｓｔａｔｕｓ”情報を、ＨＮＢＲＡＰ：  Ｒｅｌｏｃａｔｉｏｎ  Ｒｅｑｕｅｓｔメッセージに含めてＨＮＢ−Ｔ３へ送信する。
【００７６】
図１３は、本実施形態により変更されたＨＮＢＲＡＰ：  Ｒｅｌｏｃａｔｉｏｎ  Ｒｅｑｕｅｓｔメッセージを示す。このメッセージには、ＵＥ１の識別情報、ＨＮＢ−Ｓ２のＣＳＧ  ＩＤ、ＨＮＢ−Ｓ２のＡｃｃｅｓｓ  Ｍｏｄｅ、および、“ＣＳＧ  Ｍｅｍｂｅｒｓｈｉｐ  ｓｔａｔｕｓ”情報を通知するパラメータが追加されている。なお、ＨＮＢＲＡＰメッセージは、ＨＮＢ−ＧＷ４を介さず、ＨＮＢ送受信部２６，３６を介して、ＨＮＢ−Ｓ２とＨＮＢ−Ｔ３との間で直接送受信される。
【００７７】
ＨＮＢ−Ｔ３は、ＵＥ１がＨＮＢ−Ｔ３のアクセス権限およびＰｒｅｆｅｒｅｎｔｉａｌと扱われる権限を有するか否かを判定するため、図７Ａおよび図７Ｂの判定テーブルに基づいて動作する。
【００７８】
本実施形態においては、ＨＮＢ−Ｔ３は、後述するステップＣ３（ａ．）およびステップＣ８（ｂ．）において、図７Ａおよび図７Ｂの※１〜※４に応じて、それぞれ以下の動作を行う。
【００７９】
※１：
ａ．ＨＮＢ−Ｔ３は、ＣＮ  Ｎｏｄｅ５へ問い合わせを行わない。
ｂ．ＨＮＢ−Ｔ３は、ＵＥ１をＰｒｅｆｅｒｅｎｔｉａｌとして扱う。
【００８０】
※２：
ａ．ＨＮＢ−Ｔ３は、ＣＮ  Ｎｏｄｅ５へ問い合わせを行う。
ｂ．ＨＮＢ−Ｔ３は、ＣＮ  Ｎｏｄｅ５からの問い合わせ結果通知に応じて、ＵＥ１をＰｒｅｆｅｒｅｎｔｉａｌとして扱うかの可否を判定する。
【００８１】
※３：
ａ．ＨＮＢ−Ｔ３は、ＣＮ  Ｎｏｄｅ５へ問い合わせを行わない。
ｂ．ＨＮＢ−Ｔ３は、ＵＥ１をＰｒｅｆｅｒｅｎｔｉａｌとして扱わない。
【００８２】
※４：
ａ．ＨＮＢ−Ｔ３は、ＣＮ  Ｎｏｄｅ５へ問い合わせを行う。
ｂ．ＨＮＢ−Ｔ３は、ＵＥ１をＰｒｅｆｅｒｅｎｔｉａｌとして扱わない。
【００８３】
まず、ＨＮＢ−Ｔ３は、ステップＣ３において、図７Ａおよび図７Ｂの判定テーブルに基づいて、ＣＮ  Ｎｏｄｅ５への問い合わせを行うか否かを判定する。
【００８４】
例えば、図１のように、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が異なる（Ｉｎｔｅｒ  ＣＳＧ）場合、ＣＮ  Ｎｏｄｅ５へ問い合わせを行う。
【００８５】
また、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が同一である（Ｉｎｔｒａ  ＣＳＧ）場合、ＣＮ  Ｎｏｄｅ５への問い合わせを行わない。
【００８６】
ＨＮＢ−Ｔ３は、ＣＮ  Ｎｏｄｅ５へ問い合わせを行うと判定した場合、ステップＣ４において、ＨＮＢＡＰ：  Ａｃｃｅｓｓ  Ｃｏｎｔｒｏｌ  ＱｕｅｒｙメッセージにＵＥ１の識別情報（ＩＭＳＩ／ＴＭＳＩ＋ＬＡＩ／Ｐ−ＴＭＳＩ＋ＲＡＩ）およびＨＮＢ−Ｔ３のＣＳＧ  ＩＤを含めてＨＮＢ−ＧＷ４へ送信する。
【００８７】
図１４は、本実施形態により変更されたＨＮＢＡＰ：  Ａｃｃｅｓｓ  Ｃｏｎｔｒｏｌ  Ｑｕｅｒｙメッセージを示す。このメッセージには、ＵＥ１の識別情報、およびＨＮＢ−Ｔ３のＣＳＧ  ＩＤを通知するパラメータが追加されている。
【００８８】
次に、ＨＮＢ−ＧＷ４は、ステップＣ５において、ＨＮＢ−Ｔ３から受信した情報をＲＡＮＡＰ：  Ｕｐｌｉｎｋ  Ｉｎｆｏｒｍａｔｉｏｎ  Ｅｘｃｈａｎｇｅ  Ｒｅｑｕｅｓｔメッセージに含めてＣＮ  Ｎｏｄｅ５へ送信する。このメッセージの変更内容は、図４Ａ〜図４Ｃと同様である。
【００８９】
次に、ＣＮ  Ｎｏｄｅ５は、ステップＣ６において、ＲＡＮＡＰ：  Ｕｐｌｉｎｋ  Ｉｎｆｏｒｍａｔｉｏｎ  Ｅｘｃｈａｎｇｅ  ＲｅｓｐｏｎｓｅメッセージをＨＮＢ−ＧＷ４へ送信する。このメッセージの変更内容は、図５Ａ〜図５Ｃと同様である。
【００９０】
次に、ＨＮＢ−ＧＷ４は、ステップＣ７において、ＨＮＢ−Ｔ３でＵＥ１をＰｒｅｆｅｒｅｎｔｉａｌとして扱うか否かを示す“ＣＳＧ  Ｍｅｍｂｅｒｓｈｉｐ  Ｓｔａｔｕｓ”情報をＨＮＢＡＰ：  Ａｃｃｅｓｓ  Ｃｏｎｔｒｏｌ  Ｒｅｓｐｏｎｓｅメッセージに含めてＨＮＢ−Ｔ３へ送信する。
【００９１】
図１５は、本実施形態により変更されたＨＮＢＡＰ：  Ａｃｃｅｓｓ  Ｃｏｎｔｒｏｌ  Ｒｅｓｐｏｎｓｅメッセージを示す。このメッセージには、“ＣＳＧ  Ｍｅｍｂｅｒｓｈｉｐ  Ｓｔａｔｕｓ”情報を通知するパラメータが追加されている。
【００９２】
次に、ＨＮＢ−Ｔ３は、ステップＣ８において、ＨＮＢ−ＧＷ４から受信した“ＣＳＧ  Ｍｅｍｂｅｒｓｈｉｐ  Ｓｔａｔｕｓ”情報と図７Ａおよび図７Ｂの判定テーブルに基づいて、ＵＥ１をＰｒｅｆｅｒｅｎｔｉａｌとして扱うか否かを判定する。
【００９３】
例えば、図１のように、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が異なる（Ｉｎｔｅｒ  ＣＳＧ）場合に、ＨＮＢ−ＧＷ４からの“ＣＳＧ  Ｍｅｍｂｅｒｓｈｉｐ  Ｓｔａｔｕｓ”情報がＵＥ１をＰｒｅｆｅｒｅｎｔｉａｌとして扱うことを示していれば、Ｐｒｅｆｅｒｅｎｔｉａｌとして扱う。
【００９４】
また、ＨＮＢ−Ｓ２およびＨＮＢ−Ｔ３がＨｙｂｒｉｄ  Ｍｏｄｅとして動作し、かつ、ＨＮＢ−Ｓ２とＨＮＢ−Ｔ３のＣＳＧ  ＩＤの値が同一である（Ｉｎｔｒａ  ＣＳＧ）場合、ＨＮＢ−Ｓ２からの“ＣＳＧ  Ｍｅｍｂｅｒｓｈｉｐ  ｓｔａｔｕｓ”情報がＵＥ１をＰｒｅｆｅｒｅｎｔｉａｌとして扱っていることを示していれば、Ｐｒｅｆｅｒｅｎｔｉａｌとして扱い、そうでなければ、Ｐｒｅｆｅｒｅｎｔｉａｌとして扱わない。
【００９５】
なお、ＨＮＢ−Ｔ３は、ＨＮＢＡＰ：  Ａｃｃｅｓｓ  Ｃｏｎｔｒｏｌ  Ｒｅｓｐｏｎｓｅメッセージの受信以降、図１２のシーケンス図に従い、Ｒｅｌｏｃａｔｉｏｎ処理を継続する。このＲｅｌｏｃａｔｉｏｎ処理の手順は、Ｉｎｔｒａ  ＨＮＢ−ＧＷ  Ｒｅｌｏｃａｔｉｏｎ手順として知られていることから、説明を省略する。
【００９６】
上述したように本実施形態においては、ＵＥ１の移動によるＩｎｔｒａ  ＨＮＢ−ＧＷ  Ｒｅｌｏｃａｔｉｏｎ発生時、ＨＮＢ−Ｔ３は、ＵＥ１をＰｒｅｆｅｒｅｎｔｉａｌなＵＥとして扱うか否かを、自らで判定するか、または、ＣＮ  Ｎｏｄｅ５へ問い合わせる。したがって、本実施形態によると、ＵＥ１をＰｒｅｆｅｒｅｎｔｉａｌなＵＥとして扱うことができる。
【００９７】
（第４の実施形態）
本発明の第４の実施形態について、図１６〜図２０を参照して説明する。
【００９８】
図１６を参照すると、本実施形態の移動通信システムは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）アーキテテクチャに対応した構成を有する。第３の実施形態（図１１）と比較して、ＨＮＢ−Ｓ２，ＨＮＢ−Ｔ３がＨｅＮＢ（Ｈｏｍｅ  ｅｖｏｌｖｅｄ  ＮｏｄｅＢ）−Ｓ６，ＨｅＮＢ−Ｔ７に替わり、ＨＮＢ−ＧＷ４／ＣＮ  Ｎｏｄｅ５がＵｐｐｅｒ  Ｎｏｄｅ８に替わっている点が異なる。また、ＨｅＮＢ−Ｓ６およびＨｅＮＢ−Ｔ７のそれぞれにおいて、対ＨＮＢ送受信部２６，３６が対ＨｅＮＢ送受信部６２，７２に替わり、ＨＮＢＲＡＰ機能部２４，３４がＸ２ＡＰ（Ｘ２  Ａｐｐｌｉｃａｔｉｏｎ  Ｐｒｏｔｏｃｏｌ）機能部６４，７４に替わり、ＨＮＢＡＰ機能部２５，３５がＳ１ＡＰ（Ｓ１  Ａｐｐｌｉｃａｔｉｏｎ  Ｐｒｏｔｏｃｏｌ）機能部６３，７３に替わり、対ＨＮＢ−ＧＷ送受信部２１，３１が対Ｕｐｐｅｒ  Ｎｏｄｅ送受信部６１，７１に替わっている点が異なる。また、Ｕｐｐｅｒ  Ｎｏｄｅ８は、対ＨｅＮＢ送受信部８１およびＳ１ＡＰ機能部８２を有している。
【００９９】
ＨｅＮＢ６，７は、Ｅ−ＵＴＲＡＮに対応した、家庭および小規模オフィス向けの小型無線基地局である。
【０１００】
上位ノード（Ｕｐｐｅｒ  Ｎｏｄｅ）８は、ＨｅＮＢ６，７を収容する上位ノードであり、例えば、ＭＭＥ（Ｍｏｂｉｌｉｔｙ  Ｍａｎａｇｅｍｅｎｔ  Ｅｎｔｉｔｙ）単体、または、ＭＭＥとＨｅＮＢ−ＧＷとの組み合わせで実現される。
【０１０１】
対ＨｅＮＢ送受信部８１は、ＨｅＮＢ−Ｓ６およびＨｅＮＢ−Ｔ７と接続するためのインタフェースを有し、ＨｅＮＢ−Ｓ６およびＨｅＮＢ−Ｔ７との間でデータの送受信を行う。また、対ＨｅＮＢ送受信部６２は、ＨｅＮＢ−Ｔ７と接続するためのインタフェースを有し、ＨｅＮＢ−Ｔ７との間でデータの送受信を行う。また、対ＨｅＮＢ送受信部７２は、ＨｅＮＢ−Ｓ６と接続するためのインタフェースを有し、ＨｅＮＢ−Ｓ６との間でデータの送受信を行う。
【０１０２】
Ｓ１ＡＰ機能部６３，７３，８２は、３ＧＰＰ  ＴＳ３６．４１３で規定されるＳ１ＡＰプロトコル機能を実現し、Ｓ１ＡＰメッセージを終端する。
【０１０３】
Ｘ２ＡＰ機能部６４，７４は、３ＧＰＰ  ＴＳ３６．４２３で規定されるＸ２ＡＰプロトコル機能を実現し、Ｘ２ＡＰメッセージを終端する。
【０１０４】
対Ｕｐｐｅｒ  Ｎｏｄｅ送受信部７１，８１は、Ｕｐｐｅｒ  Ｎｏｄｅ８と接続するためのインタフェースを有し、Ｕｐｐｅｒ  Ｎｏｄｅ８との間でデータの送受信を行う。
【０１０５】
以下、本実施形態の移動通信システムの動作について、図１７のシーケンス図に従って説明する。
【０１０６】
ＵＥ１の移動により、Ｈａｎｄｏｖｅｒが発生した場合、ＨｅＮＢ−Ｓ６は、ステップＤ１，Ｄ２において、ＵＥ１の識別情報（ＧＵＭＭＥＩ）、ＨｅＮＢ−Ｓ６のＣＳＧ  ＩＤ、ＨｅＮＢ−Ｓ６のＡｃｃｅｓｓ  Ｍｏｄｅ、および、ＨｅＮＢ−Ｓ６でＵＥ１をＰｒｅｆｅｒｅｎｔｉａｌとして扱っているか否かを示す“ＣＳＧ  Ｍｅｍｂｅｒｓｈｉｐ  ｓｔａｔｕｓ”情報を、Ｘ２ＡＰ：  Ｈａｎｄｏｖｅｒ  Ｒｅｑｕｅｓｔメッセージに含めてＨｅＮＢ−Ｔ７へ送信する。
【０１０７】
図１８は、本実施形態により変更されたＸ２ＡＰ：  Ｈａｎｄｏｖｅｒ  Ｒｅｑｕｅｓｔメッセージを示す。このメッセージには、ＵＥ１の識別情報、ＨｅＮＢ−Ｓ６のＣＳＧ  ＩＤ、ＨｅＮＢ−Ｓ６のＡｃｃｅｓｓ  Ｍｏｄｅ、および、“ＣＳＧ  Ｍｅｍｂｅｒｓｈｉｐ  ｓｔａｔｕｓ”情報を通知するパラメータが追加されている。なお、Ｘ２ＡＰメッセージは、Ｕｐｐｅｒ  Ｎｏｄｅ８を介さず、ＨｅＮＢ送受信部６２，７２を介して、ＨｅＮＢ−Ｓ６とＨｅＮＢ−Ｔ７との間で直接送受信される。
【０１０８】
ＨｅＮＢ−Ｔ７は、ＵＥ１がＨｅＮＢ−Ｔ７のアクセス権限およびＰｒｅｆｅｒｅｎｔｉａｌと扱われる権限を有するか否かを判定するため、図７Ａおよび図７Ｂの判定テーブルに基づいて動作する。
【０１０９】
本実施形態においては、ＨｅＮＢ−Ｔ７は、後述するステップＤ３（ａ．）およびステップＤ６（ｂ．）において、図７Ａおよび図７Ｂの※１〜※４に応じて、それぞれ以下の動作を行う。
【０１１０】
※１：
ａ．ＨｅＮＢ−Ｔ７は、Ｕｐｐｅｒ  Ｎｏｄｅ８へ問い合わせを行わない。
ｂ．ＨｅＮＢ−Ｔ７は、ＵＥ１をＰｒｅｆｅｒｅｎｔｉａｌとして扱う。
【０１１１】
※２：
ａ．ＨｅＮＢ−Ｔ７は、Ｕｐｐｅｒ  Ｎｏｄｅ８へ問い合わせを行う。
ｂ．ＨｅＮＢ−Ｔ７は、Ｕｐｐｅｒ  Ｎｏｄｅ８からの問い合わせ結果通知に応じて、ＵＥのＰｒｅｆｅｒｅｎｔｉａｌとして扱うかの可否を判定する。
【０１１２】
※３：
ａ．ＨｅＮＢ−Ｔ７は、Ｕｐｐｅｒ  Ｎｏｄｅ８へ問い合わせを行わない。
ｂ．ＨｅＮＢ−Ｔ７は、ＵＥ１をＰｒｅｆｅｒｅｎｔｉａｌとして扱わない。
【０１１３】
※４：
ａ．ＨｅＮＢ−Ｔ７は、Ｕｐｐｅｒ  Ｎｏｄｅ８へ問い合わせを行う。
ｂ．ＨｅＮＢ−Ｔ７は、ＵＥ１をＰｒｅｆｅｒｅｎｔｉａｌとして扱わない。
【０１１４】
まず、ＨｅＮＢ−Ｔ７は、ステップＤ３において、図７Ａおよび図７Ｂの判定テーブルに基づいて、Ｕｐｐｅｒ  Ｎｏｄｅ８への問い合わせを行うかを判定する。
【０１１５】
ＨｅＮＢ−Ｔ７は、Ｕｐｐｅｒ  Ｎｏｄｅ８へ問い合わせを行うと判定した場合、ステップＤ４において、Ｓ１ＡＰ：  Ａｃｃｅｓｓ  Ｃｏｎｔｒｏｌ  ＱｕｅｒｙメッセージにＵＥ１の識別情報（ＧＵＭＭＥＩ）、および、ＨｅＮＢ−Ｔ７のＣＳＧ  ＩＤを含めてＵｐｐｅｒ  Ｎｏｄｅ８へ送信する。
【０１１６】
図１９は、本実施形態により変更されたＳ１ＡＰ：  Ａｃｃｅｓｓ  Ｃｏｎｔｒｏｌ  Ｑｕｅｒｙメッセージを示す。このメッセージには、ＵＥ１の識別情報およびＨｅＮＢ−Ｔ７のＣＳＧ  ＩＤを通知するパラメータが追加されている。
【０１１７】
次に、ＵｐｐｅｒＮｏｄｅ８は、ステップＤ５において、ＨｅＮＢ−Ｓ７でＵＥ１をＰｒｅｆｅｒｅｎｔｉａｌとして扱うか否かを示す“ＣＳＧ  Ｍｅｍｂｅｒｓｈｉｐ”情報をＳ１ＡＰ：  Ａｃｃｅｓｓ  Ｃｏｎｔｒｏｌ  Ｒｅｓｐｏｎｓｅメッセージに含めてＨｅＮＢ−Ｔ７へ送信する。
【０１１８】
図２０は、本実施形態により変更されたＳ１ＡＰ：  Ａｃｃｅｓｓ  Ｃｏｎｔｒｏｌ  Ｒｅｓｐｏｎｓｅメッセージを示す。このメッセージには、“ＣＳＧ  Ｍｅｍｂｅｒｓｈｉｐ  ｓｔａｔｕｓ”情報を通知するパラメータが追加されている。
【０１１９】
次に、ＨｅＮＢ−Ｔ７は、ステップＤ６において、Ｕｐｐｅｒ  Ｎｏｄｅ８から受信した“ＣＳＧ  Ｍｅｍｂｅｒｓｈｉｐ  Ｓｔａｔｕｓ”情報と図７Ａおよび図７Ｂの判定テーブルに基づいて、ＵＥ１をＰｒｅｆｅｒｅｎｔｉａｌとして扱うか否かを判定する。
【０１２０】
なお、ＨｅＮＢ−Ｔ７は、Ｓ１ＡＰ：  Ａｃｃｅｓｓ  Ｃｏｎｔｒｏｌ  Ｒｅｓｐｏｎｓｅメッセージの受信以降、図１７のシーケンス図に従い、Ｈａｎｄｏｖｅｒ処理を継続する。このＨａｎｄｏｖｅｒ処理の手順は、よく知られた手順であることから、説明を省略する。
【０１２１】
上述したように本実施形態においては、ＵＥ１の移動によるＨａｎｄｏｖｅｒ発生時、ＨｅＮＢ−Ｔ７は、ＵＥ１をＰｒｅｆｅｒｅｎｔｉａｌなＵＥとして扱うか否かを、自らで判定するか、または、Ｕｐｐｅｒ  Ｎｏｄｅ８へ問い合わせる。したがって、本実施形態によると、ＵＥ１をＰｒｅｆｅｒｅｎｔｉａｌなＵＥとして扱うことができる。
【０１２２】
（第５の実施形態）
本発明の第５の実施形態について、図２１〜図２３を参照して説明する。
【０１２３】
図２１を参照すると、本実施形態の移動通信システムは、Ｈａｎｄｏｖｅｒの信号処理にＸ２ＡＰ機能を使用しない。図１６と比較して、ＨｅＮＢ−Ｓ６，ＨｅＮＢ−Ｔ７において、対ＨｅＮＢ送受信部６２，７２、Ｘ２ＡＰ機能部６４，７４、Ｐｒｅｆｅｒｅｎｔｉａｌ通知制御部６５，７５、Ｐｒｅｆｅｒｅｎｔｉａｌ保持部６６，７６を削除した点が異なる。また、Ｕｐｐｅｒ  Ｎｏｄｅ８にＰｒｅｆｅｒｅｎｔｉａｌ通知制御部８３、Ｐｒｅｆｅｒｅｎｔｉａｌ保持部８４を追加した点が異なる。
【０１２４】
以下、本実施形態の移動通信システムの動作について、図２２のシーケンス図に従って説明する。
【０１２５】
ＵＥ１の移動により、Ｈａｎｄｏｖｅｒが発生した場合、ＨｅＮＢ−Ｓ６は、ステップＥ１において、Ｓ１ＡＰ：  Ｈａｎｄｏｖｅｒ  ＲｅｑｕｉｒｅｄメッセージをＵｐｐｅｒ  Ｎｏｄｅ８へ送信する。
【０１２６】
Ｕｐｐｅｒ  Ｎｏｄｅ８は、ＵＥ１がＨｅＮＢ−Ｔ７のアクセス権限およびＰｒｅｆｅｒｅｎｔｉａｌと扱われる権限を有するか否かを判定するため、図７Ａおよび図７Ｂの判定テーブルに基づいて動作する。なお、Ｕｐｐｅｒ  Ｎｏｄｅ８には、ＨｅＮＢ−Ｓ６のＣＳＧ  Ｍｅｍｂｅｒｓｈｉｐ情報、ＨｅＮＢ−Ｓ６およびＨｅＮＢ−Ｔ７のＣＳＧ  ＩＤ、Ａｃｃｅｓｓ  Ｍｏｄｅ、ＵＥ１の識別情報が、予め設定されている。
【０１２７】
本実施形態においては、Ｕｐｐｅｒ  Ｎｏｄｅ８は、後述するステップＥ２（ａ．）において、図７Ａおよび図７Ｂの※１〜※４に応じて、それぞれ以下の動作を行う。
※１：
ａ．  Ｕｐｐｅｒ  Ｎｏｄｅ８は、ＵＥ１をＰｒｅｆｅｒｅｎｔｉａｌとして扱う。
※２：
ａ．  Ｕｐｐｅｒ  Ｎｏｄｅ８は、ＵＥ１の登録情報に基づき、ＵＥ１をＰｒｅｆｅｒｅｎｔｉａｌとして扱うか否かを判定する。
※３：
ａ．  Ｕｐｐｅｒ  Ｎｏｄｅ８は、ＵＥ１をＰｒｅｆｅｒｅｎｔｉａｌとして扱わない。
※４：
ａ．  Ｕｐｐｅｒ  Ｎｏｄｅ８は、ＵＥ１をＰｒｅｆｅｒｅｎｔｉａｌとして扱わない。
【０１２８】
Ｕｐｐｅｒ  Ｎｏｄｅ８は、ステップＥ２において、図７Ａおよび図７Ｂの判定テーブルに基づいて、ＵＥ１をＰｒｅｆｅｒｅｎｔｉａｌとして扱うと判定した場合、ステップＥ３において、Ｓ１ＡＰ：  Ｈａｎｄｏｖｅｒ  Ｒｅｑｕｅｓｔメッセージに、ＨｅＮＢ−Ｔ７でＵＥ１をＰｒｅｆｅｒｅｎｔｉａｌとして扱うことを示す“ＣＳＧ  Ｍｅｍｂｅｒｓｈｉｐ  Ｓｔａｔｕｓ”情報を含めて、ＨｅＮＢ−Ｔ７へ送信する。
【０１２９】
図２３は、本実施形態により変更されたＳ１ＡＰ：  Ｈａｎｄｏｖｅｒ  Ｒｅｑｕｅｓｔメッセージを示す。このメッセージには、“ＣＳＧ  Ｍｅｍｂｅｒｓｈｉｐ  ｓｔａｔｕｓ”情報を通知するパラメータが追加されている。
【０１３０】
なお、ＨｅＮＢ−Ｔ７は、Ｓ１ＡＰ：  Ｈａｎｄｏｖｅｒ  Ｒｅｑｕｅｓｔメッセージの受信以降、図２２のシーケンス図に従い、Ｈａｎｄｏｖｅｒ処理を継続するが、このＨａｎｄｏｖｅｒ処理の手順は、よく知られた手順であることから、説明を省略する。
【０１３１】
上述したように本実施形態においては、ＵＥ１の移動によるＨａｎｄｏｖｅｒ発生時、Ｕｐｐｅｒ  Ｎｏｄｅ８は、ＵＥ１をＰｒｅｆｅｒｅｎｔｉａｌなＵＥとして扱うか否かを判定し、扱う場合はその旨をＳ１ＡＰ：  Ｈａｎｄｏｖｅｒ  ＲｅｑｕｅｓｔメッセージでＨｅＮＢ−Ｔ７に通知する。
【０１３２】
したがって、ＨｅＮＢ−Ｔ７は、Ｕｐｐｅｒ  Ｎｏｄｅ８の通知に従い、ＵＥ１をＰｒｅｆｅｒｅｎｔｉａｌなＵＥとして扱うことができる。
【０１３３】
（第１および第２の実施形態の概要）
以下に、本発明の第１および第２の実施形態の概要について、図２４を参照して説明する。
【０１３４】
本発明の第１および第２の実施形態の移動通信システムは、端末（ＵＥ）１と、移動元基地局（ＨＮＢ−Ｓ）２と、移動先基地局（ＨＮＢ−Ｔ）３と、ゲートウェイ装置（ＨＮＢ−ＧＷ）４と、コアネットワークノード（ＣＮ  Ｎｏｄｅ）５と、を有している。
【０１３５】
ＨＮＢ−Ｓ２は、送受信部２０１と、制御部２０２と、を有している。
【０１３６】
送受信部２０１は、図２の対ＨＮＢ−ＧＷ送受信部２１に対応し、制御部２０２は、図２のＲＡＮＡＰ機能部２２に対応する。
【０１３７】
ＨＮＢ−Ｔ３は、送受信部３０１と、制御部３０２と、を有している。
【０１３８】
送受信部３０１は、図２の対ＨＮＢ−ＧＷ送受信部３１に対応し、ＨＮＢ−ＧＷ４から、ＨＮＢ−Ｔ３にてＵＥ１を優先的に扱うか否かを示す優先情報（Ｐｒｅｆｅｒｅｎｔｉａｌ通知）を受信する。
【０１３９】
制御部３０２は、図２のＲＡＮＡＰ機能部３２に対応する。
【０１４０】
ＨＮＢ−ＧＷ４は、第１の送受信部４０１と、第２の送受信部４０２と、制御部４０３と、を有している。
【０１４１】
第２の送受信部４０２は、図２の対ＣＮ送受信部４２に対応する。
【０１４２】
制御部４０３は、図２のＰｒｅｆｅｒｅｎｔｉａｌ保持部４３、ＲＡＮＡＰ機能部４４、およびＰｒｅｆｅｒｅｎｔｉａｌ通知制御部４５に対応し、Ｉｎｔｒａ  ＨＮＢ−ＧＷ  Ｒｅｌｏｃａｔｉｏｎ発生時に、ＨＮＢ−Ｔ３にてＵＥ１を優先的に扱うか否かを、自装置で判定するか、または、第２の送受信部４０２を介してＣＮ  Ｎｏｄｅ５へ問い合わせる。
【０１４３】
第１の送受信部４０１は、図２の対ＨＮＢ送受信部４１に対応し、ＨＮＢ−Ｔ３にてＵＥ１を優先的に扱うか否かを示す優先情報（Ｐｒｅｆｅｒｅｎｔｉａｌ通知）を、ＨＮＢ−Ｔ３に送信する。
【０１４４】
ＣＮ  Ｎｏｄｅ  ５は、送受信部５０１と、制御部５０２と、を有している。
【０１４５】
送受信部５０１は、図２の対ＨＮＢ−ＧＷ送受信部５１に対応し、制御部５０２は、図２のＲＡＮＡＰ機能部５２に対応する。
【０１４６】
上述のように第１および第２の実施形態では、Ｉｎｔｒａ  ＨＮＢ−ＧＷ  Ｒｅｌｏｃａｔｉｏｎ発生時、ＨＮＢ−ＧＷ４は、ＵＥ１をＰｒｅｆｅｒｅｎｔｉａｌなＵＥとして扱うか否かを、自らで判定するか、または、ＣＮ  Ｎｏｄｅ５へ問い合わせ、ＰｒｅｆｅｒｅｎｔｉａｌなＵＥとして扱う場合は、その旨をＨＮＢ−Ｔ３に通知する。
【０１４７】
したがって、ＨＮＢ−Ｔ３は、ＨＮＢ−ＧＷ４からの通知に従い、ＵＥ１をＰｒｅｆｅｒｅｎｔｉａｌなＵＥとして扱うことができる。
【０１４８】
また、第１および第２の実施形態では、制御部４０３が、ＨＮＢ−Ｓ２およびＨＮＢ−Ｔ３の限定加入者グループの識別情報（ＣＳＧ  ＩＤ）と、ＨＮＢ−Ｓ２およびＨＮＢ−Ｔ３のアクセスモード（Ａｃｃｅｓｓ  Ｍｏｄｅ）と、ＵＥ１の識別情報と、ＵＥ１の許可リスト（Ａｌｌｏｗｅｄ  ＣＳＧ  Ｌｉｓｔ）にＨＮＢ−Ｓ２の限定加入者グループの識別情報が含まれるか否かを示す許可リスト情報（ＣＳＧ  Ｍｅｍｂｅｒｓｈｉｐ情報）と、に応じた、ＣＮ  Ｎｏｄｅ５への問い合わせの可否、および、ＨＮＢ−Ｔ３への優先情報の通知（Ｐｒｅｆｅｒｅｎｔｉａｌ通知）の可否を規定した判定テーブルを有し、Ｉｎｔｒａ  ＨＮＢ−ＧＷ  Ｒｅｌｏｃａｔｉｏｎ発生時に、その判定テーブルに基づいて、ＣＮ  Ｎｏｄｅ５への問い合わせの可否、および、ＨＮＢ−Ｔ３への優先情報の通知の可否を決定する。
【０１４９】
また、第１および第２の実施形態では、ＵＥ１の登録時に、第２の送受信部４０２が、ＣＮ  Ｎｏｄｅ５からＲＡＮＡＰメッセージを受信し、制御部４０３が、そのＲＡＮＡＰメッセージに許可リスト情報（ＣＳＧ  Ｍｅｍｂｅｒｓｈｉｐ情報）が含まれていた場合、その許可リスト情報を保持する。
【０１５０】
また、第１および第２の実施形態では、ＣＮ  Ｎｏｄｅ５への問い合わせを行う場合、制御部４０３が、ＵＥ１の識別情報と、ＨＮＢ−Ｔ３の限定加入者グループの識別情報（ＣＳＧ  ＩＤ）と、をＲＡＮＡＰ：  Ｕｐｌｉｎｋ  Ｉｎｆｏｒｍａｔｉｏｎ  Ｅｘｃｈａｎｇｅ  Ｒｅｑｕｅｓｔメッセージに含め、第２の送受信部４０２が、そのＲＡＮＡＰ：  Ｕｐｌｉｎｋ  Ｉｎｆｏｒｍａｔｉｏｎ  Ｅｘｃｈａｎｇｅ  ＲｅｑｕｅｓｔメッセージをＣＮ  Ｎｏｄｅ５へ送信する。
【０１５１】
また、第１および第２の実施形態では、ＨＮＢ−ＧＷ４からの問い合わせを受けた場合、制御部５０２が、優先情報（Ｐｒｅｆｅｒｅｎｔｉａｌ通知）をＲＡＮＡＰ：  Ｕｐｌｉｎｋ  Ｉｎｆｏｒｍａｔｉｏｎ  Ｅｘｃｈａｎｇｅ  Ｒｅｓｐｏｎｓｅメッセージに含め、送受信部５０１が、そのＲＡＮＡＰ：  Ｕｐｌｉｎｋ  Ｉｎｆｏｒｍａｔｉｏｎ  Ｅｘｃｈａｎｇｅ  ＲｅｓｐｏｎｓｅメッセージをＨＮＢ−ＧＷ４へ送信し、第２の送受信部４０２にて受信する。
【０１５２】
また、第１の実施形態では、ＨＮＢ−Ｔ３への優先情報の通知（Ｐｒｅｆｅｒｅｎｔｉａｌ通知）を行う場合、制御部４０３が、優先情報をＲＡＮＡＰ：  Ｒｅｌｏｃａｔｉｏｎ  Ｒｅｑｕｅｓｔメッセージに含め、第１の送受信部４０１が、そのＲＡＮＡＰ：  Ｒｅｌｏｃａｔｉｏｎ  ＲｅｑｕｅｓｔメッセージをＨＮＢ−Ｔ３へ送信する。
【０１５３】
また、第２の実施形態では、ＨＮＢ−Ｔ３への優先情報の通知（Ｐｒｅｆｅｒｅｎｔｉａｌ通知）を行う場合、制御部４０３が、優先情報をＲＵＡ：  Ｄｉｒｅｃｔ  Ｔｒａｎｓｆｅｒメッセージに含め、第１の送受信部４０１が、そのＲＵＡ：  Ｄｉｒｅｃｔ  ＴｒａｎｓｆｅｒメッセージをＨＮＢ−Ｔ３へ送信する。
【０１５４】
なお、本発明のＨＮＢ−Ｓ２，ＨＮＢ−Ｔ３，ＨＮＢ−ＧＷ４，ＣＮ  Ｎｏｄｅ５，ＨｅＮＢ−Ｓ６，ＨｅＮＢ−Ｔ７，Ｕｐｐｅｒ  Ｎｏｄｅ８にて行われる方法は、コンピュータに実行させるためのプログラムに適用してもよい。また、そのプログラムを記憶媒体に格納することも可能であり、ネットワークを介して外部に提供することも可能である。
本発明の全開示（請求の範囲及び図面を含む）の枠内において、さらにその基本的技術思想に基づいて、実施形態ないし実施例の変更・調整が可能である。また、本発明の全開示の枠内において種々の開示要素の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【０１５５】
１        端末（ＵＥ）
２        移動元基地局（ＨＮＢ−Ｓ）
３        移動先基地局（ＨＮＢ−Ｔ）
４        ゲートウェイ装置（ＨＮＢ−ＧＷ）
５        コアネットワークノード（ＣＮ  Ｎｏｄｅ）
６        ＨｅＮＢ−Ｓ
７        ＨｅＮＢ−Ｔ
８        上位ノード（Ｕｐｐｅｒ  Ｎｏｄｅ）
２１    対ＨＮＢ−ＧＷ送受信部
２２    ＲＡＮＡＰ機能部
２３    ＲＵＡ機能部
２４    ＨＮＢＲＡＰ機能部
２５    ＨＮＢＡＰ機能部
２６    対ＨＮＢ送受信部
２７    Ｐｒｅｆｅｒｅｎｔｉａｌ通知制御部
２８    Ｐｒｅｆｅｒｅｎｔｉａｌ保持部
３１    対ＨＮＢ−ＧＷ送受信部
３２    ＲＡＮＡＰ機能部
３３    ＲＵＡ機能部
３４    ＨＮＢＲＡＰ機能部
３５    ＨＮＢＡＰ機能部
３６    対ＨＮＢ送受信部
３７    Ｐｒｅｆｅｒｅｎｔｉａｌ通知制御部
３８    Ｐｒｅｆｅｒｅｎｔｉａｌ保持部
４１    対ＨＮＢ送受信部
４２    対ＣＮ送受信部
４３    Ｐｒｅｆｅｒｅｎｔｉａｌ保持部
４４    ＲＡＮＡＰ機能部
４５    Ｐｒｅｆｅｒｅｎｔｉａｌ通知制御部
４６    ＲＵＡ機能部
４７    ＨＮＢＡＰ機能部
５１    対ＨＮＢ−ＧＷ送受信部
５２    ＲＡＮＡＰ機能部
６１    対Ｕｐｐｅｒ  Ｎｏｄｅ送受信部
６２    対ＨｅＮＢ送受信部
６３    Ｓ１ＡＰ機能部
６４    Ｘ２ＡＰ機能部
６５    Ｐｒｅｆｅｒｅｎｔｉａｌ通知制御部
６６    Ｐｒｅｆｅｒｅｎｔｉａｌ保持部
７１    対Ｕｐｐｅｒ  Ｎｏｄｅ送受信部
７２    対ＨｅＮＢ送受信部
７３    Ｓ１ＡＰ機能部
７４    Ｘ２ＡＰ機能部
７５    Ｐｒｅｆｅｒｅｎｔｉａｌ通知制御部
７６    Ｐｒｅｆｅｒｅｎｔｉａｌ保持部
８１    対ＨｅＮＢ送受信部
８２    Ｓ１ＡＰ機能部
８３    Ｐｒｅｆｅｒｅｎｔｉａｌ通知制御部
８４    Ｐｒｅｆｅｒｅｎｔｉａｌ保持部
２０１        送受信部
２０２        制御部
３０１        送受信部
３０２        制御部
４０１        第１の送受信部
４０２        第２の送受信部
４０３        制御部
５０１        送受信部
５０２        制御部
【図１】
2011052527.tif 000003
【図２】
2011052527.tif 000004
【図３】
2011052527.tif 000005
【図４Ａ】
2011052527.tif 000006
【図４Ｂ】
2011052527.tif 000007
【図４Ｃ】
2011052527.tif 000008
【図５Ａ】
2011052527.tif 000009
【図５Ｂ】
2011052527.tif 000010
【図５Ｃ】
2011052527.tif 000011
【図６】
2011052527.tif 000012
【図７Ａ】
2011052527.tif 000013
【図７Ｂ】
2011052527.tif 000014
【図８】
2011052527.tif 000015
【図９】
2011052527.tif 000016
【図１０】
2011052527.tif 000017
【図１１】
2011052527.tif 000018
【図１２】
2011052527.tif 000019
【図１３】
2011052527.tif 000020
【図１４】
2011052527.tif 000021
【図１５】
2011052527.tif 000022
【図１６】
2011052527.tif 000023
【図１７】
2011052527.tif 000024
【図１８】
2011052527.tif 000025
【図１９】
2011052527.tif 000026
【図２０】
2011052527.tif 000027
【図２１】
2011052527.tif 000028
【図２２】
2011052527.tif 000029
【図２３】
2011052527.tif 000030
【図２４】
2011052527.tif 000031
【国際調査報告】
2011052527.tif 000032
2011052527.tif 000033